(57)【要約】【課題】視認性の優れた岸壁用梯子を提供する。【解決手段】一対の縦木部１１に架け渡たされた複数の横木部１５の前面に発光ダイオード１７を設けた。縦木部１１は岸壁７００の水平面７００ａに引っ掛けられるアーム部１１１を有している。発光ダイオード１７に電力を供給するための太陽電池１９がアーム部１１１の上面に配置され、太陽電池１９により生じた電気エネルギーがアーム部１１１に収容された蓄電池に蓄えられる。【選択図】図１
2011122342.tif 000002
【特許請求の範囲】
【請求項１】
複数の縦木部と、
岸壁の垂直面に固定され、前記複数の縦木部を支持する複数の支持部と、
前記複数の縦木部に架け渡された複数の横木部と
を備える岸壁用梯子において、
前記縦木部と前記横木部とのうちの少なくとも一方の前面に複数の発光体が設けられていることを特徴とする岸壁用梯子。
【請求項２】
前記複数の縦木部は、前記岸壁の水平面に引っ掛けられるアーム部を有していることを特徴とする請求項１記載の岸壁用梯子。
【請求項３】
前記発光体の電源が太陽電池であることを特徴とする請求項２記載の岸壁用梯子。
【請求項４】
前記アーム部の上面に前記太陽電池が配置され、前記アーム部内に前記太陽電池によって充電される蓄電池が収容されていることを特徴とする請求項３記載の岸壁用梯子。
【請求項５】
前記縦木部と前記横木部とが筒状であり、前記蓄電池と前記発光体とを接続する電線が前記縦木部及び前記横木部の内部空間に収容されていることを特徴とする請求項４記載の岸壁用梯子。
【請求項６】
前記発光体が発光ダイオードであることを特徴とする請求項１〜５のいずれか１項記載の岸壁用梯子。
【発明の詳細な説明】
【技術分野】
【０００１】
この発明は岸壁用梯子に関する。
【背景技術】
【０００２】
従来、並設された二体の防舷基体（縦木部）と、５本の横桟（横木部）と、発光手段とを備える防舷材が知られている（下記特許文献１参照）。
【０００３】
防舷基体は弾性を有する硬質ゴムを角筒状に形成してなる。
【０００４】
横桟は二本の防舷基体の間に架設されている。横桟は金属棒の表面を防舷基体と同質の硬質ゴムで被覆してなる。
【０００５】
発光手段は、太陽電池装置と発光ダイオード（発光体）とで構成されている。太陽電池装置は太陽電池と蓄電池とを含んでいる。太陽電池及び蓄電池は防舷基体の天面に形成された電池配置部に配置されている。
【０００６】
発光ダイオードは、防舷基体の取着孔の周縁に形成してある配置溝内に設けられている。
【０００７】
昼間時、太陽電池は光エネルギーを電気エネルギーに変換し、蓄電池は電気エネルギーを蓄える。夜間時、発光ダイオードは蓄電池に蓄えられた電気エネルギーによって発光する。
【０００８】
この防舷材は、船が岸壁に直接接触するのを防ぐ役割を有するとともに、岸壁から海に転落した人が岸壁に戻ることができるようにするための救助用の梯子としての役割をも有する。
【先行技術文献】
【特許文献】
【０００９】
【特許文献１】特開平９−２５６２３号公報（段落００１７、００２２、００２４、図２参照）
【発明の概要】
【発明が解決しようとする課題】
【００１０】
上述のように、発光ダイオードは防舷基体の取着孔の周縁に形成された配置溝内に設けられており、しかも発光ダイオードは配置溝の奥（岸壁の垂直面上）に位置しているので、防舷材を真正面から見ないと発光ダイオードが発光しているのかどうかがわからず、海に転落した人にとって発光ダイオードの視認性が悪かった。つまり、夜間、海面から発光ダイオードの光を視認することは困難であり、防舷材の場所を認識しにくかった。
【００１１】
この発明はこのような事情に鑑みてなされたもので、その課題は視認性の優れた岸壁用梯子を提供することである。
【課題を解決するための手段】
【００１２】
前述の課題を解決するため請求項１の発明は、複数の縦木部と、岸壁の垂直面に固定され、前記複数の縦木部を支持する複数の支持部と、前記複数の縦木部に架け渡された複数の横木部とを備える岸壁用梯子において、前記縦木部と前記横木部とのうちの少なくとも一方の前面に複数の発光体が設けられていることを特徴とする。
【００１３】
上述のように、縦木部の前面と横木部の前面とのうちの少なくとも一方の前面に発光体が設けられているので、岸壁用梯子を海面から見たとき、発光体の光を視認することができる。
【００１４】
請求項２の発明は、請求項１記載の岸壁用梯子において、前記複数の縦木部は、前記岸壁の水平面に引っ掛けられるアーム部を有していることを特徴とする。
【００１５】
請求項３の発明は、請求項２記載の岸壁用梯子において、前記発光体の電源が太陽電池であることを特徴とする。
【００１６】
請求項４の発明は、請求項３記載の岸壁用梯子において、前記アーム部の上面に前記太陽電池が配置され、前記アーム部内に前記太陽電池によって充電される蓄電池が収容されていることを特徴とする。
【００１７】
請求項５の発明は、請求項４記載の岸壁用梯子において、前記縦木部と前記横木部とが筒状であり、前記蓄電池と前記発光体とを接続する電線が前記縦木部及び前記横木部の内部空間に収容されていることを特徴とする。
【００１８】
請求項６の発明は、請求項１〜５のいずれか１項記載の岸壁用梯子において、前記発光体が発光ダイオードであることを特徴とする。
【発明の効果】
【００１９】
この発明によれば、視認性の優れた岸壁用梯子を提供することができる。
【図面の簡単な説明】
【００２０】
【図１】図１はこの発明の一実施形態に係る岸壁用梯子の正面図である。
【図２】図２は図１のII−II線に沿う断面図である。
【図３】図３は図１に示す岸壁用梯子の平面図である。
【図４】図４は図３に示す岸壁用梯子からハンドルを外した状態を示す平面図である。
【図５】図５は図１のＶ−Ｖ線に沿う断面図である。
【図６】図６は図１に示す岸壁用梯子のアーム部を岸壁に固定する作業を示す概念図である。
【図７】図７は図１に示す岸壁用梯子の支持部を岸壁に固定する作業を示す概念図である。
【図８】図８は比較例の岸壁用梯子を岸壁に位置決め・支持する作業を示す概念図である。
【図９】図９は比較例の岸壁用梯子を岸壁に固定する作業を示す概念図である。
【発明を実施するための形態】
【００２１】
以下、この発明の一実施形態の岸壁用梯子を図１〜図５に基づいて説明する。
【００２２】
図１〜図３に示すように、岸壁用梯子１００は一対の縦木部１１と複数の支持部１３と複数の横木部１５と複数の発光ダイオード（発光体）１７と複数の太陽電池１９と複数の蓄電池（図示せず）とを備えている。
【００２３】
一対の縦木部１１はステンレス製である。縦木部１１は縦木部本体１１０とアーム部１１１とを有する。縦木部本体１１０は直線的な角筒である。一方の縦木部１１の縦木部本体１１０と他方の縦木部１１の縦木部本体１１０とは互いに平行に配置される。両方の縦木部本体１１０の相対する側面部には、横木部１５をねじ止めするための複数組のねじ孔（図示せず）が縦木部本体１１０の長手方向へ沿って等間隔に形成されている。１つの組は周方向へ等間隔に並ぶ４つのねじ孔で構成される。
【００２４】
アーム部１１１は縦木部本体１１０の上端部に溶接されている。アーム部１１１は縦木部本体１１０の長手方向に対して直角の方向へ延びる箱であり、その内部空間は縦木部本体１１０の内部空間に通じる。アーム部１１１はアーム部１１１を岸壁７００の水平面７００ａにボルト止めするための２つの固定片１１１ａを有する（図３参照）。固定片１１１ａにはボルト通し孔（図示せず）が形成されている。アンカーボルト３１をボルト通し孔に通し、そのアンカーボルト３１を岸壁７００の水平面７００ａに打ち込むことにより、アーム部１１１が岸壁７００の水平面７００ａに固定される。アーム部１１１の一方の側面部には開口１１１ｂが形成されている（図２参照）。開口１１１ｂは蓋１１２によって塞がれている。蓋１１２はねじ１１３によってアーム部１１１に固定されている。
【００２５】
複数の支持部１３はステンレス製である。支持部１３は直線的な角筒であり、支持部１３の一端部は縦木部本体１１０の後面部に溶接されている。支持部１３の他端部には固定片１３１が設けられている（図５参照）。固定片１３１にはボルト通し孔（図示せず）が形成されている。アンカーボルト３２（図１参照）をボルト通し孔に通し、そのアンカーボルト３２を岸壁７００の垂直面７００ｂに打ち込むことにより、支持部１３は岸壁７００の垂直面７００ｂに固定され、縦木部１１が岸壁７００の垂直面７００ｂに平行に支持される。
【００２６】
複数の横木部１５はステンレス製である。横木部１５は直線的な円筒であり、横木部１５の外周面には滑り止めのためにローレット加工が施されている。横木部１５の両端部にはフランジ部１５１が溶接されている。フランジ部１５１には４つのねじ通し孔（図示せず）が形成されている。４つのねじ通し孔は周方向へ等間隔に並ぶ。一方のフランジ部１５１のねじ通し孔にねじ１５２を通し、そのねじ１５２を一方の縦木部本体１１０の側面部のねじ孔（図示せず）にねじ込み、他方のフランジ部１５１のねじ通し孔にねじ１５２を通し、そのねじ１５２を他方の縦木部本体１１０の側面部のねじ孔（図示せず）にねじ込むことにより、２つの縦木部本体１１０に横木部１５が架け渡される。
【００２７】
発光ダイオード１７は横木部１５の前面の３か所に設けられている（図１参照）。なお、横木部１５のうちの最も下に位置する横木部１５とそのすぐ上の横木部１５とには、これらが満潮時に海中に没することがあるので、発光ダイオード１７が設けられていない。
【００２８】
太陽電池１９は縦木部１１のアーム部１１１の上面１１１ｃに配置されている（図４参照）。また、アーム部１１１内には太陽電池１９の受光量に応じて発光ダイオード１７の点灯を制御する回路基板（図示せず）が収容されている。
【００２９】
蓄電池は縦木部１１のアーム部１１１内に収容されている。この蓄電池と発光ダイオード１７とを接続する電線（図示せず）は縦木部１１及び横木部１５の内部空間に収容されている。
【００３０】
縦木部１１の上部にはハンドル２５が取り付けられている（図２、図３参照）。ハンドル２５の両端部にはフランジ部２５１が溶接されている。フランジ部２５１には４つのねじ通し孔（図示せず）が形成されている。一方のフランジ部２５１のねじ通し孔にねじ２５２を通し、そのねじ２５２をアーム部１１１の上面部１１１ｃのねじ孔１１１ｄ（図４参照）にねじ込み、他方のフランジ部２５１のねじ通し孔にねじ２５２を通し、そのねじ２５２を縦木部本体１１０の前面部のねじ孔（図示せず）にねじ込むことにより、ハンドル２５が縦木部１１に固定される。
【００３１】
昼間時、太陽電池１９で生じた電気は蓄電池に蓄えられる。
【００３２】
夜間時、発光ダイオード１７は蓄電池に蓄えられた電気によって発光する。この実施形態では橙色の光が点滅する。
【００３３】
次に、岸壁用梯子１００の岸壁７００への取付作業について図６、図７に基づいて説明する。
【００３４】
まず、クレーン車８００のクレーン８０１に吊り下げられた岸壁用梯子１００のアーム部１１１を作業者Ｈ１が岸壁７００の水平面７００ａに引っ掛けるとともに、岸壁用梯子１００を岸壁７００の垂直面７００ｂに位置決めする。そして、作業者Ｈ１は、図３に示すように、アーム部１１１の固定片１１１ａをアンカーボルト３１で岸壁７００の水平面７００ａに固定する。その結果、岸壁用梯子１００は岸壁７００に仮止めされる。
【００３５】
次に、クレーン車８００のクレーン８０１に吊り下げられたゴンドラ８０２に作業者Ｈ１が乗り（図７参照）、作業者Ｈ１は、図１に示すように、支持部１３の固定片１３１をアンカーボルト３２で岸壁７００の垂直面７００ｂに固定する。
【００３６】
以上の作業により、岸壁用梯子１００は岸壁７００に取り付けられる。
【００３７】
岸壁用梯子１００の岸壁７００への取付作業がいかに簡単かがわかるように、比較例の岸壁用梯子６００の取付作業を図８、図９に基づいて説明する。
【００３８】
まず、クレーン車８００のクレーン８０１に吊り下げられた岸壁用梯子６００を作業者Ｈ１がロープ８０３で引き寄せ、岸壁用梯子６００を岸壁７００の垂直面７００ｂの所定位置に配置する。
【００３９】
次に、クレーン８０１に吊り下げられたゴンドラ８０２に乗った別の作業者Ｈ２が岸壁用梯子６００を複数のアンカーボルト（図示せず）で岸壁７００の垂直面７００ｂに固定する。作業者Ｈ２がアンカーボルトを岸壁７００の垂直面７００ｂに打ち込む作業を行っているとき、作業者Ｈ１は岸壁用梯子６００が動かないように岸壁用梯子６００を支持し続けなければならない。
【００４０】
以上のように、この発明の一実施形態の岸壁用梯子１００では、一人の作業者Ｈ１（クレーン車８００の運転者は除く）だけで岸壁用梯子１００の取付作業を行うことができるが、比較例の岸壁用梯子６００では、二人の作業者Ｈ１，Ｈ２（クレーン車８００の運転者は除く）が岸壁用梯子６００の取付作業を行わなければならない。
【００４１】
特に、作業者Ｈ１は比較例の岸壁用梯子６００の取付作業時、岸壁用梯子６００を支持するだけではなく、岸壁７００の垂直面７００ｂに対して岸壁用梯子６００が位置決めされた状態を保たせなければならず、作業者Ｈ１の負担が大きかった。
【００４２】
この実施形態によれば、発光ダイオード１７が横木部１５の前面に設けられているので、岸壁用梯子１００を斜め下方から見ても、発光ダイオード１７の光が見え、視認性が向上する。したがって、夜間、岸壁７００から海に転落した人は、迅速に岸壁用梯子１００を見つけることができる。
【００４３】
また、海が荒れて波が高く、海に転落した人が波の揺れにタイミングを合わせて横木部１５にしがみつかなければならない状況でも、発光ダイオード１７が横木部１５に設けられ、横木部１５の位置がわかりやすいので、横木部１５にしがみつきやすい。
【００４４】
更に、縦木部１１がアーム部１１１を有しているので、岸壁用梯子１００を岸壁７００に簡単かつ精度良く取り付けることができる。
【００４５】
また、太陽電池１９を発光ダイオード１７の電源として用いたので、経済的である。また、岸壁用梯子１００を岸壁７００に取り付ける際に、配線工事の必要がないので、岸壁用梯子１００の設置工事費を低減することができる。
【００４６】
更に、蓄電池と発光ダイオード１７とを接続する電線が縦木部１１及び横木部１５の内部空間に収容されているので、電線が潮風等にさらされない。
【００４７】
また、発光体として発光ダイオード１７を用いたので、他の発光体に較べ消費電力が少なく、経済的である。
【００４８】
なお、上述の実施形態では、縦木部１１はアーム部１１１を有しているが、アーム部１１１はなくてもよい。また、縦木部１１は３つ以上でもよい。
【００４９】
また、発光ダイオード１７の電源として太陽電池１９を用いたが、発光ダイオード１７の電源は太陽電池１９に限られない。
【００５０】
なお、太陽電池１９をアーム部１１１の上面１１１ｃに配置し、蓄電池をアーム部１１１内に収容したが、太陽電池１９や蓄電池の設置場所は、これらに限られない。例えば、それらをアーム部１１１から離れた場所に設置してもよい。また、太陽電池１９を２つのアーム部１１１のそれぞれに収容したが、蓄電池を一方のアーム部１１１にだけ収容し、その蓄電池に２つの太陽電池１９の電気エネルギーを蓄えさせるようにしてもよい。
【００５１】
また、蓄電池と発光ダイオード１７とを接続する電線を縦木部１１及び横木部１５の内部空間に収容したが、必ずしもこのようにする必要はない。
【００５２】
なお、発光体として発光ダイオード１７を用いたが、発光体は発光ダイオード１７に限られず、電球等でもよい。
【００５３】
また、上述の実施形態では、発光ダイオード１７を横木部１５の前面に設けたが、縦木部１１の前面だけに設けてもよいし、横木部１５の前面と縦木部１１の前面との両方に設けてもよい。なお、１つの横木部１５に設ける発光ダイオード１７は上述の実施形態のように３つでもよいし、５つでもよい。発光ダイオード１７の数は横木部１５の長さ等に応じて適宜決定される。
【００５４】
更に、横木部１５の前面の発光ダイオード１７の発光の向きについては、水平方向でもよいし、斜め下方でもよい。
【符号の説明】
【００５５】
１００，６００  岸壁用梯子
１１  縦木部
１１１  アーム部
１１１ｃ  上面
１３  支持部
１５  横木部
１７  発光ダイオード（発光体）
１９  太陽電池
７００  岸壁
７００ａ  水平面
７００ｂ  垂直面
【図１】
2011122342.tif 000003
【図２】
2011122342.tif 000004
【図３】
2011122342.tif 000005
【図４】
2011122342.tif 000006
【図５】
2011122342.tif 000007
【図６】
2011122342.tif 000008
【図７】
2011122342.tif 000009
【図８】
2011122342.tif 000010
【図９】
2011122342.tif 000011